【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
光線療法システムであって、
照射ゾーンに向けられる紫外線（ＵＶ）源であって、該ＵＶ源が光線療法期間中に前もって決められたエネルギーレベルを送達するように構成されるＵＶ源；および
該ＵＶ源と該照射ゾーンとの間のフィルターであって、該フィルターは、前もって決められた波長スペクトルの外のＵＶ照射を、少なくとも実質的に取り除くように構成されており、該前もって決められたスペクトルが、最大１６ｎｍの帯域幅を有し、そして該前もって決められたエネルギーレベルに対する、ビタミンＤ３光線療法作用スペクトルの最大と対応する波長に焦点を合わされているフィルター
を含むシステム。
【請求項２】
請求項１の光線療法システムであって、
前記ＵＶ源がハロゲン化金属ランプを含み；かつ
前記フィルターが干渉コーティングを含む
光線療法システム。
【請求項３】
前記光線療法システムが、最小紅斑量あたりのプレビタミンＤ３生成を最大にするように構成され、そしてビタミンＤ３の光異性体化を最小にするようにさらに構成される請求項１の光線療法システム。
【請求項４】
前記前もって決められたエネルギーレベルが最大１Ｊ／ｃｍ２である、請求項１の光線療法システム。
【請求項５】
前記フィルターが、３００〜３０２ｎｍの標的波長に焦点を合わされた、請求項１の光線療法システム。
【請求項６】
前記フィルターが、３０２ｎｍが中心である最大８ｎｍの帯域幅を伴う干渉コーティングを含む請求項１の光線療法システム。
【請求項７】
前記ビタミンＤ３光線療法作用スペクトルが、複数の波長にわたる、前記前もって決められたエネルギーレベルに対する光異性体化作用スペクトルと、対応する波長のＣＩＥプレビタミンＤ３生成作用スペクトルのＣＩＥ紅斑作用スペクトルに対する比との積によって定義される、請求項１の光線療法システム。
【請求項８】
前記ＵＶ源および前記フィルターが複数の照射アセンブリの１つを規定し、そして前記光線療法システムが前記照射アセンブリを保持する基部をさらに含み、該照射アセンブリが、該基部の中心部に概して向かって内側に向けられ、前記照射ゾーンを規定する、請求項１の光線療法システム。
【請求項９】
少なくとも照射ゾーンの部分を規定する基部；および
該照射ゾーンに向けられる紫外線（ＵＶ）源を含む照射アセンブリ
を含む光線療法システムであって、
該ＵＶ源が、光線療法期間中に前もって決められたエネルギーレベルを送達するように構成され、
該照射アセンブリが、前もって決められた波長スペクトル内のＵＶ照射を送達するように構成され、そして
該前もって決められたスペクトルが最大１６ｎｍの帯域幅を有し、該前もって決められたエネルギーレベルに対して、ビタミンＤ３光線療法作用スペクトルの最大と対応する波長に焦点を合わされている、
光線療法システム。
【請求項１０】
前記照射アセンブリが、３００〜３０２ｎｍの波長に焦点を合わされた、請求項９の光線療法システム。
【請求項１１】
前記ＵＶ源が、３００〜３０２ｎｍに焦点を合わされた少なくとも１つのＬＥＤを含む、請求項９の光線療法システム。
【手続補正２】
【補正対象書類名】明細書
【補正対象項目名】００４１
【補正方法】変更
【補正の内容】
【００４１】
結論
上述から、本技術の具体的な実施形態が本明細書に例示のために記載されたが、本開示から逸脱することなく、種々の改変がなされ得ることが認識される。特定の実施形態の文脈に記載される新技術の特定の局面は、他の実施形態と組み合わされ得、または他の実施形態から除外され得る。さらに、新技術の特定の実施形態に関連する利点がそれらの実施形態の文脈に記載されたが、他の実施形態もまたそのような利点を示し得、そして本技術の範囲内である全ての実施形態がそのような利点を必ずしも示す必要はない。したがって、本開示および関連する技術は、本明細書に明確に示されていない、または記載されていない他の実施形態を包含し得る。
例えば、本発明は以下の項目を提供する。
（項目１）
光線療法期間中のビタミンＤ３生成を増強するための方法であって：
標的波長に焦点を合わされた照射アセンブリから照射データを測定する工程；
それぞれの波長の加重放射照度値を決定するために、２８０ｎｍと３２０ｎｍとの間の選択される範囲の波長の放射照度値と、該対応する波長のビタミンＤ３光線療法作用スペクトルの有効性の値とを乗算する工程であって、該光線療法作用スペクトルが、前もって決められたエネルギーレベルで、最小紅斑量あたりの最大限のビタミンＤ生成を有する波長を定義する、工程；
全加重放射照度値を決定するために、該加重放射照度値を合計する工程；
該照射アセンブリの効率を決定するために、該選択される範囲の波長の該放射照度値の合計で、該全加重放射照度値を除算する工程；および
該光線療法期間中のビタミンＤ生成を刺激するために、該照射アセンブリを介して該標的波長に焦点を合わされた紫外線をヒトに送達する工程であって、該光線療法期間の持続期間が最小紅斑量に制限される、工程
を含む方法。
（項目２）
前記前もって決められたエネルギーレベルで前記ビタミンＤ３光線療法作用スペクトルを形成する工程をさらに含む項目１の方法であって、該ビタミンＤ３光線療法作用スペクトルを形成する工程が：
波長のスペクトルにわたって、前記前もって決められたエネルギーレベルの光生成物変換のパーセントを決定する工程；および
複数の波長における該光生成物変換と、該対応する波長のＣＩＥプレビタミンＤ３生成とＣＩＥ紅斑作用スペクトルの比を乗算する工程であって、該前もって決められたエネルギーレベルの該ビタミンＤ３光線療法作用スペクトルが、それぞれの波長の該乗算される値に関連する曲線と一致する、工程
を含む方法。
（項目３）
項目２の方法であって：
対応する複数の波長で、前記前もって決められたエネルギーレベルに曝露される複数の７−ＤＨＣの試料の光生成物変換を測定する工程であって、該光生成物変換が該前もって決められたエネルギーレベルに曝露後、該７−ＤＨＣの試料中のプレビタミンＤ３、ルミステロール、タキステロールおよび７−ＤＨＣの量を測定する、工程；および
該前もって決められたエネルギーレベルの光異性体化作用スペクトルを定義する工程であって、該光異性体化作用スペクトルが該光生成物変換のパーセントを定義する、工程をさらに含む方法。
（項目４）
前記前もって決められたエネルギーレベルが最大１Ｊ／ｃｍ２である、項目１の方法。
（項目５）
前記ビタミンＤ３光線療法作用スペクトルが最小紅斑量によって標準化される、項目１の方法。
（項目６）
項目１の方法であって：
複数の照射アセンブリに関する放射照度データを測定する工程を含み、前記照射アセンブリから放射照度データを測定する工程が、それぞれの照射アセンブリは異なる標的波長に焦点を合わされたものであり、
該方法は、それぞれの照射アセンブリについて、乗算する工程、合計する工程および除算する工程を行うことによって、該それぞれの照射アセンブリの効率を決定する工程をさらに含む方法。
（項目７）
前記標的波長が３００ｎｍと３０２ｎｍとの間である、項目１の方法。
（項目８）
前記照射アセンブリがハロゲン化金属ランプとフィルターとを含み、該フィルターは、基板上の干渉コーティングを含み、該干渉コーティングが最大１６ｎｍの帯域幅を有する、項目１の方法。
（項目９）
選択された波長の放射照度値を、該選択された波長のＣＩＥ紅斑作用スペクトルで加重する工程によって、前記放射アセンブリの最小紅斑量を決定する工程をさらに含む、項目１の方法。
（項目１０）
光線療法システムであって、
照射ゾーンに向けられる紫外線（ＵＶ）源であって、該ＵＶ源が光線療法期間中に前もって決められたエネルギーレベルを送達するように構成されるＵＶ源；および
該ＵＶ源と該照射ゾーンとの間のフィルターであって、該フィルターは、前もって決められた波長スペクトルの外のＵＶ照射を、少なくとも実質的に取り除くように構成されており、該前もって決められたスペクトルが、最大１６ｎｍの帯域幅を有し、そして該前もって決められたエネルギーレベルに対する、ビタミンＤ光線療法作用スペクトルの最大と対応する波長に焦点を合わされているフィルター
を含むシステム。
（項目１１）
項目１０の光線療法システムであって、
前記ＵＶ源がハロゲン化金属ランプを含み；かつ
前記フィルターが干渉コーティングを含む
光線療法システム。
（項目１２）
前記光線療法システムが、最小紅斑量あたりのプレビタミンＤ３生成を最大にするように構成され、そしてビタミンＤ３の光異性体化を最小にするようにさらに構成される項目１０の光線療法システム。
（項目１３）
前記前もって決められたエネルギーレベルが最大１Ｊ／ｃｍ２である、項目１０の光線療法システム。
（項目１４）
前記フィルターが、３００〜３０２ｎｍの標的波長に焦点を合わされた、項目１０の光線療法システム。
（項目１５）
前記フィルターが、３０２ｎｍが中心である最大８ｎｍの帯域幅を伴う干渉コーティングを含む項目１０の光線療法システム。
（項目１６）
前記ビタミンＤ光線療法作用スペクトルが、複数の波長にわたる、前記前もって決められたエネルギーレベルに対する前記光線療法作用スペクトルの生成物、該対応する波長のＣＩＥプレビタミンＤ３生成とＣＩＥ紅斑作用スペクトルとの比によって定義される、項目１０の光線療法システム。
（項目１７）
前記ＵＶ源および前記フィルターが複数の照射アセンブリの１つを規定し、そして前記光線療法システムが前記照射アセンブリを保持する基部をさらに含み、該照射アセンブリが、該基部の中心部に概して向かって内側に向けられ、前記照射ゾーンを規定する、項目１０の光線療法システム。
（項目１８）
光線療法システムであって
少なくとも照射ゾーンの部分を規定する基部；および
該照射ゾーンに向けられる紫外線（ＵＶ）源を含む照射アセンブリを含み、
該ＵＶ源が、光線療法期間中に前もって決められたエネルギーレベルを送達するように構成される、
該照射アセンブリが、前もって決められた波長スペクトル内のＵＶ照射を送達するように構成される照射アセンブリ、および
該前もって決められたスペクトルが最大１６ｎｍの帯域幅を有し、該前もって決められたエネルギーレベルに対して、ビタミンＤ３光線療法作用スペクトルの最大と対応する波長に焦点を合わされている、
光線療法システム。
（項目１９）
前記照射アセンブリが、約３００〜３０２ｎｍの波長に焦点を合わされた、項目１８の光線療法システム。
（項目２０）
前記ＵＶ源が、約３００〜３０２ｎｍに焦点を合わされた少なくとも１つのＬＥＤを含む、項目１８の光線療法システム。